(57)【要約】【課題】磁気処理装置の処理能力を向上させ、水道水の水質改善、給水管の腐食防止等の効果が一層発揮されるようにする。【解決手段】液体が貫流するハウジング１と、該ハウジング内に配置された磁石ユニット３とからなり、該磁石ユニットは複数の永久磁石５，７，９，１０と複数の磁極板４，６，８に軸棒１１を一連に串通してなり、しかも複数の永久磁石をその同極どうしが磁極板と相対するように磁極板を複数の永久磁石間に配置し、該磁極板の外縁に磁力線を誘導する羽根部４ａ，６ａ，８ａ，１０ａを永久磁石よりも大径なるように突設し、複数の磁極板について該羽根部を軸棒方向に非直線状に並ばせることにより、液体を該ハウジング内で永久磁石の周囲にて蛇行状に貫流させる。【選択図】図１
2005230737.tif 000002
【特許請求の範囲】
【請求項１】
液体が貫流するハウジングと、該ハウジング内に配置された磁石ユニットとからなり、該磁石ユニットは複数の永久磁石と複数の磁極板に軸棒を一連に串通してなり、しかも複数の永久磁石をその同極どうしが磁極板と相対するように磁極板を複数の永久磁石間に配置し、該磁極板の外縁に磁力線を誘導する羽根部を永久磁石よりも大径なるように突設し、複数の磁極板について該羽根部を軸棒方向に非直線状に並ばせることにより、液体を該ハウジング内で永久磁石の周囲にて蛇行状に貫流させるようにしたことを特徴とする液体の磁気処理装置。
【請求項２】
ハウジングおよび軸棒は非磁性体の金属材料からなるものであり、磁極板は強磁性体の金属材料からなるものである請求項１に記載の液体の磁気処理装置。
【請求項３】
ハウジングは円筒形、永久磁石は円盤形、磁極板は分銅形を呈したものである請求項１または２に記載の液体の磁気処理装置。
【請求項４】
ハウジング内に偶数個の磁石ユニットを隣り合うように配置し、隣り合う磁石ユニットにおける磁極板の羽根部が互いに異極の磁力線を誘導するものであるようにしたことを特徴とする請求項１乃至３のいずれかに記載の液体の磁気処理装置。
【発明の詳細な説明】
【技術分野】
【０００１】
本発明は永久磁石によって水等の液体を磁気処理する装置に関するものである。
【背景技術】
【０００２】
水道水等の水質を改善し、或いは給水管の腐食を防止するために給水管の途中に永久磁石からなる磁気処理装置を設け、磁界中に水を通過させることが従来からなされている。下記特許文献１はこのような目的で開発された磁気処理装置を示したものである。
【特許文献１】特公平３−２０３２号公報
【特許文献２】特公平３−２０３３号公報
【発明の開示】
【発明が解決しようとする課題】
【０００３】
しかしながらこれら従来の磁気処理装置は、永久磁石の配置が磁極との関係から適切でないことや、永久磁石間に非磁性体を介在させたものであったので、磁力線と直交する方向へ水が流れる割合が少なく磁気処理能力が十分に発揮されないという問題があった。
また、従来から螺旋状のガイドを設けて水流を永久磁石の周囲に旋回させる構造もあったが、いずれにしても水流が磁力線を切る割合が少ないことから十分な磁気処理がなされないという問題がある。
【０００４】
そこで本発明は磁気処理装置の処理能力を大幅に向上しようとするものである。
【課題を解決するための手段】
【０００５】
そのために請求項１に記載の液体の磁気処理装置は、液体が貫流するハウジングと、該ハウジング内に配置された磁石ユニットとからなり、該磁石ユニットは複数の永久磁石と複数の磁極板に軸棒を一連に串通してなり、しかも複数の永久磁石をその同極どうしが磁極板と相対するように磁極板を複数の永久磁石間に配置し、該磁極板の外縁に磁力線を誘導する羽根部を永久磁石よりも大径なるように突設し、複数の磁極板について該羽根部を軸棒方向に非直線状に並ばせることにより、液体を該ハウジング内で永久磁石の周囲にて蛇行状に貫流させるようにしたことを特徴とする。
【０００６】
また請求項２に記載した液体の磁気処理装置は、請求項１に記載の磁気処理装置において、ハウジングおよび軸棒は非磁性体の金属材料からなるものであり、磁極板は強磁性体の金属材料からなるものであることを特徴とする。
【０００７】
また請求項３に記載の発明は、上記請求項１または２に記載の磁気処理装置において、ハウジングは円筒形、永久磁石は円盤形、磁極板は分銅形を呈したものであることを特徴とする。
【０００８】
また請求項４に記載の発明は、上記請求項１乃至３のいずれかに記載の磁気処理装置において、ハウジング内に偶数個の磁石ユニットを隣り合うように配置し、隣り合う磁石ユニットにおける磁極板の羽根部が互いに異極の磁力線を誘導するものであるようにしたことを特徴とする。
【発明の効果】
【０００９】
本発明によれば優れた処理能力を有する磁気処理装置を提供でき、水道水の水質改善、給水管の腐食防止等に顕著な効果がある。
【実施例１】
【００１０】
次に本発明の実施例を説明する。図１はこの磁気処理装置の縦断面図、図２は横断面図で、１は本体１ａと蓋体１ｂとからなる円筒形のハウジング、２ａ，２ｂは該ハウジングの両端部に設けられた液体の流入口と流出口である。なお、該ハウジング１はＳＵＳ３０４等の非磁性体の金属材料により成形する。３は該ハウジング内に配置される磁石ユニットで、該磁石ユニットは、図３，図４にも示したように、ＳＵＳ４３０等の強磁性体の金属材料からなる磁極板４と、３個の円盤形の磁石体５ａ，５ｂ，５ｃを１組とする永久磁石５と、磁極板４と同形同材料の磁極板６と、同じく３個の円盤形の磁石体７ａ，７ｂ，７ｃを１組とする永久磁石７と、磁極板４と同形同材料の磁極板８と、同じく３個の円盤形の磁石体９ａ，９ｂ，９ｃを１組とする永久磁石９と、磁極板４と同形同材料の磁極板１０と、ＳＵＳ３０４等の非磁性体の金属材料により成形された長尺ボルトからなる軸棒１１およびナット１２からなり、該軸棒１１を該各永久磁石および磁極板の中心に開設された貫通孔に貫挿することにより該各永久磁石および磁極板を一連に串通する。その際、永久磁石５と永久磁石７と永久磁石９とは互いに同極どうしが磁極板６および磁極板８と相対するように該磁極板６，８を永久磁石５，７，９の間に配置し、該軸棒１１の先端にナット１２を螺締する。なお、これらの磁極板４，６，８，１０は、外縁に磁力線を誘導する羽根部４ａ，６ａ，８ａ，１０ａが永久磁石５，７，９よりも大径でハウジング１の内径と略々同径なるように突設することにより分銅形に形成されたものである。そして、該各磁極板について羽根部４ａ，６ａ，８ａ，１０ａが軸棒方向に非直線状に並ぶようにする。
【００１１】
このように構成した磁気処理装置では、図示したように、磁極板４と磁極板６とは異極に磁化され、磁極板６と磁極板８とも異極に磁化され、磁極板８と磁極板１０とも異極に磁化されることから、図１に破断線で示したように、羽根部４ａと羽根部６ａとの間に磁束密度の高い磁力線が走り、羽根部６ａと羽根部８ａとの間、および羽根部８ａと羽根部１０ａとの間にも磁束密度の高い磁力線が走る。一方、流入口２ａからハウジング内に流入した水等の液体は、永久磁石５，７，９の周囲を流出口２ｂに向かって流れるが、羽根部４ａ，６ａ，８ａ，１０ａに邪魔され、矢印で示したように蛇行することから上記磁力線を何度か直交状に過ぎることとなる。
【００１２】
なお、上記磁極板４，６，８，１０は羽根部４ａ，６ａ，８ａ，１０ａに磁力線を誘導するため強磁性体の金属材料からなるものであるのに対し、ハウジング１は非磁性体の金属材料からなるものとすることで、羽根部４ａ，６ａ，８ａ，１０ａ間を走る磁力線が該ハウジング１に迂回しないようにし、液体の流れと交差する磁力線の磁束密度を一層高いものに保つことができる。また、軸棒１１を非磁性体の金属材料からなるものとすることで、各永久磁石５，７，９が磁極板４，６，８，１０に及ぼす磁化を妨げないようにすることができる。なお、この実施例では永久磁石５，７，９は夫々３個の円盤形の磁石体を１組として使用したが、永久磁石単体を用いてもよい。また、フェライト磁石の他、種々の強力な永久磁石を使用し得る。また、永久磁石や磁極板等の数、形状等はこの実施例に限定されるものでないことは言うまでもない。
【００１３】
このようにこの装置を貫流する液体は磁力線を過ぎることで強力に磁化処理され、水道水の場合は飲料水等の生活用水として好ましい水質に改善されたり、給水管の腐食が防止される等の顕著な効果がある。また、液体燃料をこの磁気処理装置に貫流させることにより、内燃機関の燃費を向上させる等の効果もあり得る。
【実施例２】
【００１４】
一方、図５，図６に示した実施例は、太径のハウジング１内に上記磁石ユニット３を４つ隣り合うように配置することにより、この磁気処理装置を通過し得る液体の流量を増大可能にしたもので、この場合、隣り合う磁石ユニットにおける磁極板の羽根部が互いに異極の磁力線を誘導するものであるようにし、隣り合う磁石ユニットの羽根部間にも磁力線が走るようにする。なお、１４はハウジング内で４つの磁石ユニット３を等間隔に支持するために設けられた端板である。このように磁石ユニットを配置することにより、磁石ユニット間を流れる液体は上記磁力線とも交差することとなり、内径を大きくし流量を増大させても十分な磁化処理能力を保持することができる。また、このように複数の磁石ユニットを配置し、かつ隣り合う磁石ユニットの羽根部間にも磁力線が走るようにするために、ハウジング１内に配置する磁石ユニットの本数は２個、４個、６個等の偶数個とするのが望ましい。
【００１５】
また図７は、この種の磁気処理装置の設置例を示した給水配管図で、ビル２１の屋上に設置された給水タワー１５に給水する給水管１６に磁気処理装置１７を設けるとともに、該給水タワーに循環路２０を設け、該給水タワー内の水をポンプ１８によって磁気処理装置１９に絶えず循環させ何度もこの磁気処理装置１９に貫流させることで、該給水タワー内の水の磁気処理が一層促進されるようにしたものである。
【図面の簡単な説明】
【００１６】
【図１】本発明の実施例である磁気処理装置の縦断面図。
【図２】本発明の実施例である磁気処理装置の横断面図。
【図３】本発明の実施例である磁気処理装置の磁石ユニットの縦断面図。
【図４】本発明の実施例である磁気処理装置の磁石ユニットの分解斜視図。
【図５】本発明の他の実施例を示す磁気処理装置の縦断面図。
【図６】本発明の他の実施例を示す磁気処理装置の横断面図。
【図７】磁気処理装置の設置例を示した給水配管図。
【符号の説明】
【００１７】
１                          ハウジング
３                          磁石ユニット
４，６，８                  磁極板
４ａ，６ａ，８ａ，１０ａ    羽根部
５，７，９，１０            永久磁石
１１                        軸棒
【図１】
2005230737.tif 000003
【図２】
2005230737.tif 000004
【図３】
2005230737.tif 000005
【図４】
2005230737.tif 000006
【図５】
2005230737.tif 000007
【図６】
2005230737.tif 000008
【図７】
2005230737.tif 000009